(57)【要約】【課題】処理負荷の増大に伴う通信障害の発生を回避可能な通信制御サーバ、通信システム及び通信制御方法を提供すること。【解決手段】検知部６ａは、Ｓ−ＣＳＣＦ（Ａ）６１の輻輳を検知する。特定部６ｂは、Ｓ−ＣＳＣＦ（Ａ）６１の輻輳が検知部６ａにより検知された場合、Ｓ−ＣＳＣＦ（Ａ）６１により制御される上記複数の移動通信端末２ａ等のうち待ち受け中の移動通信端末を特定する。第１送信部６ｃは、特定部６ｂにより特定された移動通信端末に対する通信制御を輻輳の検知されたＳ−ＣＳＣＦ（Ａ）６１に代えて行う旨の移管要求を、Ｓ−ＣＳＣＦ（Ａ）６１以外の他のＳ−ＣＳＣＦに送信する。【選択図】図６
2008271501.tif 000002
【特許請求の範囲】
【請求項１】
複数の移動通信端末の通信を制御する通信制御サーバであって、
当該通信制御サーバの輻輳を検知する検知手段と、
当該通信制御サーバの輻輳が前記検知手段により検知された場合、当該通信制御サーバにより制御される前記複数の移動通信端末のうち待ち受け中の移動通信端末を特定する特定手段と、
前記特定手段により特定された移動通信端末に対する通信制御を輻輳の検知された当該通信制御サーバに代えて行う旨の移管要求を、当該通信制御サーバ以外の他の通信制御サーバに送信する第１の送信手段と
を備える、ことを特徴とする通信制御サーバ。
【請求項２】
請求項１に記載の通信制御サーバと、該通信制御サーバが通信制御する移動通信端末を該通信制御サーバから移管する旨の移管要求を受信する他の通信制御サーバとを有する通信システムであって、
前記他の通信制御サーバは、
前記移管要求を受信する受信手段と、
前記受信手段により前記移管要求が受信された場合、移動通信端末を管理する通信管理サーバと該移動通信端末を該二つの通信制御サーバに通信接続する通信接続サーバとに対し、前記受信手段によって受信された前記移管要求において移管の対象となっている移動通信端末を通信制御する通信制御サーバを当該他の通信制御サーバに変更する旨の変更要求を送信する第２の送信手段と
を備える、ことを特徴とする通信システム。
【請求項３】
複数の移動通信端末の通信を制御する通信制御サーバを用いた通信制御方法であって、
前記通信制御サーバの輻輳を検知する検知ステップと、
前記検知ステップにおいて前記通信制御サーバの輻輳が検知された場合、当該通信制御サーバによって制御される前記複数の移動通信端末のうち待ち受け中の移動通信端末を特定する特定ステップと、
前記特定ステップにおいて特定された移動通信端末に対する通信制御を輻輳の検知された当該通信制御サーバに代えて行う旨の移管要求を、当該通信制御サーバ以外の他の通信制御サーバに送信する送信ステップと
を含む、ことを特徴とする通信制御方法。
【請求項４】
前記特定手段により特定された移動通信端末を当該通信制御サーバに通信接続する通信接続サーバを介して該移動通信端末に通信接続可能な他の通信制御サーバが輻輳しているか否かを判定する判定手段と、
前記判定手段により輻輳していないと判定された一の通信制御サーバがある場合に、前記特定手段により特定された移動通信端末に対する通信制御を移管する旨を、該移動通信端末を管理する通信管理サーバと前記通信接続サーバとに通知する通知手段と
を更に備え、
前記第１の送信手段は、前記一の通信制御サーバに前記移管要求を送信する、ことを特徴とする請求項１に記載の通信制御サーバ。
【請求項５】
請求項４に記載の通信制御サーバと、該通信制御サーバにより輻輳中でないと判定された他の判定済み通信制御サーバと、該二つの通信制御サーバと移動通信端末とを通信接続する通信接続サーバと、該移動通信端末を管理する通信管理サーバとを備える通信システムであって、
前記判定済み通信制御サーバは、
前記通信制御サーバにより通信制御されている前記移動通信端末を該通信制御サーバから移管する旨の移管要求を受信する第１の受信手段と、
前記第１の受信手段により前記移管要求が受信された場合に、前記通信接続サーバと前記通信管理サーバとに対し、前記移動通信端末を通信制御する通信制御サーバを当該判定済み通信制御サーバに変更する旨の変更要求を送信する第２の送信手段と
を有し、
前記通信接続サーバおよび前記通信管理サーバのぞれぞれは、
前記移動通信端末の移管を示す移管通知を受ける第２の受信手段と、
前記変更要求を受信する第３の受信手段と、
前記第２の受信手段が前記移管通知を受けると、前記第３の受信手段が前記変更要求を受信するまで、前記移動通信端末に対する処理を停止する停止手段と
を有する、ことを特徴とする通信システム。
【発明の詳細な説明】
【技術分野】
【０００１】
本発明は、通信制御サーバ、通信システム及び通信制御方法に関する。
【背景技術】
【０００２】
近時、ＩＭＳ（IP MultimediaSubsystem）と称するネットワーク技術が開発されている。ＩＭＳネットワークは、ＳＩＰメッセージ（SIP：Session Initiation Protocol）を送受信する複数のＳＩＰサーバやＨＳＳ（Home Subscriber Server）等を備える。ＳＩＰサーバは、移動通信端末の通信制御を行う通信制御サーバとしてのＳ−ＣＳＣＦ（Serving-Call/Session Control Function）や、移動通信端末をＳ−ＣＳＣＦに通信接続する通信接続サーバとしてのＰ−ＣＳＣＦ（Proxy-Call/SessionControlFunction）がある。このようなＩＭＳネットワークに係る技術は、例えば、特許文献１等に記載されている。
【特許文献１】特開２００６−１１５４５３号公報
【発明の開示】
【発明が解決しようとする課題】
【０００３】
ところで、Ｓ−ＣＳＣＦにはＰ−ＣＳＣＦを介して複数の移動通信端末がアクセスする。このため、移動通信端末のアクセスが特定のＳ−ＣＳＣＦに集中することにより、このＳ−ＣＳＣＦの処理負荷が増大し、通信障害が生じる虞がある。
【０００４】
そこで本発明の目的は、処理負荷の増大に伴う通信障害の発生を回避可能な通信制御サーバ、通信システム及び通信制御方法を提供することである。
【課題を解決するための手段】
【０００５】
本発明は、複数の移動通信端末の通信を制御する通信制御サーバであって、当該通信制御サーバの輻輳を検知する検知手段と、当該通信制御サーバの輻輳が上記検知手段により検知された場合、当該通信制御サーバにより制御される上記複数の移動通信端末のうち待ち受け中の移動通信端末を特定する特定手段と、上記特定手段により特定された移動通信端末に対する通信制御を輻輳の検知された当該通信制御サーバに代えて行う旨の移管要求を、当該通信制御サーバ以外の他の通信制御サーバに送信する第１の送信手段とを備える、ことを特徴とする。
【０００６】
また、本発明は、上記通信制御サーバと、この通信制御サーバが通信制御する移動通信端末を該通信制御サーバから移管する旨の移管要求を受信する他の通信制御サーバとを有する通信システムであって、上記他の通信制御サーバは、上記移管要求を受信する受信手段と、上記受信手段により上記移管要求が受信された場合、移動通信端末を管理する通信管理サーバとこの移動通信端末を該二つの通信制御サーバに通信接続する通信接続サーバとに対し、上記受信手段によって受信された上記移管要求において移管の対象となっている移動通信端末を通信制御する通信制御サーバを当該他の通信制御サーバに変更する旨の変更要求を送信する第２の送信手段とを備える。
【０００７】
また、本発明は、複数の移動通信端末の通信を制御する通信制御サーバを用いた通信制御方法であって、上記通信制御サーバの輻輳を検知する検知ステップと、上記検知ステップにおいて上記通信制御サーバの輻輳が検知された場合、当該通信制御サーバによって制御される上記複数の移動通信端末のうち待ち受け中の移動通信端末を特定する特定ステップと、上記特定ステップにおいて特定された移動通信端末に対する通信制御を輻輳の検知された当該通信制御サーバに代えて行う旨の移管要求を、当該通信制御サーバ以外の他の通信制御サーバに送信する送信ステップとを含む、ことを特徴とする。
【０００８】
本発明によれば、通信制御サーバが自機の輻輳の有無を判定し、自機が輻輳している場合には、自機の通信制御する移動通信端末のうち待ち受け中の移動通信端末を他の通信制御サーバに移管する。これにより、通信制御サーバの輻輳状態が回避されるので、特定の通信制御サーバの処理負荷が集中することによる通信障害の発生が回避できる。
【０００９】
また、本発明では、特定手段により特定された移動通信端末を当該通信制御サーバに通信接続する通信接続サーバを介して該移動通信端末に通信接続可能な他の通信制御サーバが輻輳しているか否かを判定する判定手段と、判定手段により輻輳していないと判定された一の通信制御サーバがある場合に、特定手段により特定された移動通信端末に対する通信制御を移管する旨を、該移動通信端末を管理する通信管理サーバと通信接続サーバとに通知する通知手段とを更に備え、第１の送信手段は、一の通信制御サーバに移管要求を送信することもできる。
【００１０】
また、本発明の通信システムは、上記の判定手段および通知手段を有する通信制御サーバと、この通信制御サーバにより輻輳中でないと判定された他の判定済み通信制御サーバと、該二つの通信制御サーバと移動通信端末とを通信接続する通信接続サーバと、該移動通信端末を管理する通信管理サーバとを備える通信システムであって、判定済み通信制御サーバは、通信制御サーバにより通信制御されている移動通信端末を通信制御サーバから移管する旨の移管要求を受信する第１の受信手段と、第１の受信手段により移管要求が受信された場合に、通信接続サーバと通信管理サーバとに対し、移動通信端末を通信制御する通信制御サーバを当該判定済み通信制御サーバに変更する旨の変更要求を送信する第２の送信手段とを有し、通信接続サーバおよび通信管理サーバのぞれぞれは、移動通信端末の移管を示す移管通知を受ける第２の受信手段と、変更要求を受信する第３の受信手段と、第２の受信手段が移管通知を受けると、第３の受信手段が変更要求を受信するまで、移動通信端末に対する処理を停止する停止手段とを有することもできる。
【発明の効果】
【００１１】
本発明によれば、処理負荷の増大に伴う通信障害の発生を回避可能な通信制御サーバ、通信システム及び通信制御方法が提供できる。
【発明を実施するための最良の形態】
【００１２】
以下、図面を参照して、本発明に係る好適な実施形態について詳細に説明する。なお、図面の説明において、可能な場合には、同一要素には同一符号を付し、重複する説明を省略する。
【００１３】
図１に示すように、通信システム１は、移動通信端末２ａ、移動通信端末２ｂ、Ｐ−ＣＳＣＦ４（通信接続サーバ）、Ｓ−ＣＳＣＦ（Ａ）６１（通信制御サーバ）、Ｓ−ＣＳＣＦ（Ｂ）６２（通信制御サーバ）及びＨＳＳ８（HSS：Home Subscriber Server）（通信管理サーバ）等を備えるＩＭＳシステムである。移動通信端末２ａ及び移動通信端末２ｂはＰ−ＣＳＣＦ４と無線通信を行い、Ｐ−ＣＳＣＦ４は、Ｓ−ＣＳＣＦ（Ａ）６１及びＳ−ＣＳＣＦ（Ｂ）６２と有線通信（又は無線通信）を行い、ＨＳＳ８は、Ｓ−ＣＳＣＦ（Ａ）６１及びＳ−ＣＳＣＦ（Ｂ）６２と有線通信（又は無線通信）を行う。また、Ｓ−ＣＳＣＦ（Ａ）６１とＳ−ＣＳＣＦ（Ｂ）６２とは有線通信（又は無線通信）を行う。
【００１４】
なお、通信システム１の有する移動通信端末２ａ及び移動通信端末２ｂ等の移動通信端末の数、Ｐ−ＣＳＣＦ４等のＰ−ＣＳＣＦの数、Ｓ−ＣＳＣＦ（Ａ）６１及びＳ−ＣＳＣＦ（Ｂ）６２等のＳ−ＣＳＣＦの数及びＨＳＳ８等のＨＳＳの数は、図１に示すものに限らない。また、移動通信端末２ａと移動通信端末２ｂとは同様の構成を有し、また、Ｓ−ＣＳＣＦ（Ａ）６１とＳ−ＣＳＣＦ（Ｂ）６２とは同様の構成を有するので、以下、主に移動通信端末２ａ及びＳ−ＣＳＣＦ（Ａ）６１を用いて説明する。
【００１５】
移動通信端末２ａは、携帯電話等の移動可能な通信端末である。移動通信端末２ａは、Ｐ−ＣＳＣＦ４を介してＳ−ＣＳＣＦ（Ａ）６１等のＳ−ＣＳＣＦに位置登録を行う。Ｐ−ＣＳＣＦ４は、移動通信端末２ａ等の移動通信端末をＳ−ＣＳＣＦ（Ａ）６１等のＳ−ＣＳＣＦに通信接続するＳＩＰサーバである。Ｐ−ＣＳＣＦ４は、Ｓ−ＣＳＣＦ（Ａ）６１等のＳ−ＣＳＣＦにより位置登録され通信制御されている移動通信端末２ａ等の移動通信端末の加入者情報を有する（図４に示す加入者情報１２を参照）。Ｐ−ＣＳＣＦ４の有する加入者情報は、移動通信端末２ａ等の移動通信端末の電話番号と、移動通信端末２ａ等の移動通信端末に対し位置登録及び通信制御を行うＳ−ＣＳＣＦ（Ａ）６１等のＳ−ＣＳＣＦのアドレスとが関連付けられている。
【００１６】
Ｓ−ＣＳＣＦ（Ａ）６１は、移動通信端末２ａ等の移動通信端末の位置登録を行うとともに、移動通信端末２ａ等の移動通信端末の通信を制御するＳＩＰサーバである。Ｓ−ＣＳＣＦ（Ａ）６１は、位置登録及び通信制御を行う移動通信端末２ａ等の移動通信端末の加入者情報を有する。Ｓ−ＣＳＣＦ（Ａ）６１の有する加入者情報は、移動通信端末２ａ等の移動通信端末の電話番号と、この移動通信端末２ａ等の移動通信端末をＳ−ＣＳＣＦ（Ａ）６１に通信接続するＰ−ＣＳＣＦ４のアドレスとが関連付けられており、更に、図７に示すように移動通信端末２ａ等の移動通信端末の電話番号毎に現在の通話状態（通話中や待ち受け中等）や最終通話時刻等を示す情報を有する。
【００１７】
ＨＳＳ８は、移動通信端末２ａ等の移動通信端末を管理（加入者情報を管理）する。ＨＳＳ８は、Ｓ−ＣＳＣＦ（Ａ）６１等のＳ−ＣＳＣＦが通信制御している移動通信端末２ａ等の移動通信端末の加入者情報を有する。ＨＳＳ８の有する加入者情報は、移動通信端末２ａ等の移動通信端末の電話番号と、この移動通信端末２ａ等の移動通信端末に対し位置登録及び通信制御を行うＳ−ＣＳＣＦ（Ａ）６１等のＳ−ＣＳＣＦのアドレスとが関連付けられている。
【００１８】
次に、図２及び図３を参照して、Ｐ−ＣＳＣＦ４の構成を説明する。まず、図２を参照してＰ−ＣＳＣＦ４の構成を説明する。Ｐ−ＣＳＣＦ４は、物理的には、ＣＰＵ４ａ、ＲＡＭ４ｂ、ＲＯＭ４ｃ、入力装置４ｄ、出力装置４ｅ、通信装置４ｆ及び記録装置４ｇを有しており、これらはバス４ｈに接続されている。ＣＰＵ４ａは、ＲＯＭ４ｃ等の内蔵メモリに格納された所定のコンピュータソフトウェアをＲＡＭ４ｂにロードして実行することにより、Ｐ−ＣＳＣＦ４を統括的に制御する。
【００１９】
入力装置４ｄは、データ入力用デバイスであり、入力されたデータをＣＰＵ４ａに出力する。出力装置４ｅは、ＬＣＤ等の表示装置であり、ＣＰＵ４ａから入力されたデータをＬＣＤ等に表示する。通信装置４ｆは、移動通信端末２ａ等の移動通信端末やＳ−ＣＳＣＦ（Ａ）６１等のＳ−ＣＳＣＦと通信を行うためのインターフェイスを有する。記録装置４ｇは、ＣＰＵ４ａの実行可能なコンピュータソフトウェアを格納する。記録装置４ｇは、図４に示す加入者情報１２を格納する。
【００２０】
ここで、図４を参照して、加入者情報１２を説明する。加入者情報１２は、電話番号情報１２ａとＳ−ＣＳＣＦアドレス情報１２ｂとを有する。加入者情報１２は、電話番号情報１２ａに示す移動通信端末２ａ等の移動通信端末の電話番号と、Ｓ−ＣＳＣＦアドレス情報１２ｂに示されておりこの移動通信端末２ａ等の移動通信端末に対し位置登録及び通信制御を行うＳ−ＣＳＣＦ（Ａ）６１等のＳ−ＣＳＣＦのアドレスとが関連付けられている。例えば、加入者情報１２には、移動通信端末２ａの電話番号と、この移動通信端末２ａに対し位置登録及び通信制御を行うＳ−ＣＳＣＦ（Ａ）６１のアドレスとが関連付けられており、更に、移動通信端末２ｂの電話番号と、この移動通信端末２ｂに対し位置登録及び通信制御を行うＳ−ＣＳＣＦ（Ａ）６１のアドレスとが関連付けられている。
【００２１】
図３を参照して、Ｐ−ＣＳＣＦ４の構成の説明を続ける。ＣＰＵ４ａは、図３に示す複数の機能を実現する。すなわち、Ｐ−ＣＳＣＦ４は、機能的には、受信部４１及び変更部４２を有する。受信部４１及び変更部４２は、ＣＰＵ４ａがコンピュータソフトウェアを実行し、図２に示すＰ−ＣＳＣＦ４の各構成部を動作させることにより実現される機能である。特に、ＣＰＵ４ａは、受信部４１及び変更部４２を用いて、図８に示すＰ−ＣＳＣＦ４の行う処理を実行する。
【００２２】
受信部４１は、移動通信端末２ａ等の移動通信端末に対し位置登録及び通信制御を行うＳ−ＣＳＣＦ（Ａ）６１等のＳ−ＣＳＣＦの変更要求を、変更後のＳ−ＣＳＣＦから受信する。この変更要求は、一のＳ−ＣＳＣＦ（変更前のＳ−ＣＳＣＦ）から他のＳ−ＣＳＣＦ（変更後のＳ−ＣＳＣＦ）への移動通信端末の移管に応じて、Ｐ−ＣＳＣＦ４の記録装置４ｇに記録された加入者情報１２の内容（すなわち、Ｓ−ＣＳＣＦのアドレス）を変更する旨の要求である。変更部４２は、Ｓ−ＣＳＣＦの変更要求が受信部４１により受信されると、この要求に応じて、Ｐ−ＣＳＣＦ４の記録装置４ｇに記録された加入者情報１２の内容（Ｓ−ＣＳＣＦのアドレス）を変更する。
【００２３】
次に、図５及び図６を参照して、Ｓ−ＣＳＣＦ（Ａ）６１の構成を説明する。Ｓ−ＣＳＣＦ（Ｂ）６２の構成はＳ−ＣＳＣＦ（Ａ）６１と同様であるので省略されている。まず、図５を参照してＳ−ＣＳＣＦ（Ａ）６１の構成を説明する。Ｓ−ＣＳＣＦ（Ａ）６１は、物理的には、ＣＰＵ６１ａ、ＲＡＭ６１ｂ、ＲＯＭ６１ｃ、入力装置６１ｄ、出力装置６１ｅ、通信装置６１ｆ及び記録装置６１ｇを有しており、これらはバス６１ｈに接続されている。ＣＰＵ６１ａは、ＲＯＭ６１ｃ等の内蔵メモリに格納された所定のコンピュータソフトウェアをＲＡＭ６１ｂにロードして実行することにより、Ｓ−ＣＳＣＦ（Ａ）６１を統括的に制御する。
【００２４】
入力装置６１ｄは、データ入力用デバイスであり、入力されたデータをＣＰＵ６１ａに出力する。出力装置６１ｅは、ＬＣＤ等の表示装置であり、ＣＰＵ６１ａから入力されたデータをＬＣＤ等に表示する。通信装置６１は、他のＳ−ＣＳＣＦ（Ｓ−ＣＳＣＦ（Ｂ）６２）、Ｐ−ＣＳＣＦ４及びＨＳＳ８等と通信を行うためのインターフェイスを有する。記録装置６１ｇは、ＣＰＵ６１ａの実行可能なコンピュータソフトウェアを格納する。記録装置６１ｇは、図７に示す加入者情報１４を格納する。
【００２５】
ここで、図７を参照して、加入者情報１４を説明する。加入者情報１４は、電話番号情報１４ａ、通話状態情報１４ｂ及び最終通話時刻情報１４ｃと、Ｐ−ＣＳＣＦ４等のＰ−ＣＳＣＦのアドレスを示す情報（図示略）とを有する。加入者情報１４は、電話番号情報１４ａに示す移動通信端末２ａ等の移動通信端末の電話番号と、通話状態情報１４ｂに示す移動通信端末２ａ等の移動通信端末の通話状態（通話中、待ち受け中等の通話状態）と、最終通話時刻情報１４ｃに示す移動通信端末２ａ等の移動通信端末の最終通話の終了時刻と、移動通信端末２ａ等の移動通信端末をＳ−ＣＳＣＦ（Ａ）６１に通信接続するＰ−ＣＳＣＦ４のアドレスを示す情報とが互いに関連付けられている。
【００２６】
例えば、加入者情報１４には、移動通信端末２ａの電話番号と、移動通信端末２ａの通話状態（通話中）と、移動通信端末２ａの最終通話の終了時刻（２００７年２月１日１５時００分）とが関連付けられており、更に、移動通信端末２ｂの電話番号と、移動通信端末２ｂの通話状態（待ち受け中）と、移動通信端末２ｂの最終通話の終了時刻（２００７年２月２日１９時３０分）とが関連付けられている。なお、加入者情報１４は、移動通信端末２ａ等の移動通信端末の通話開始時や通話終了時等をトリガとして又は定期的にＣＰＵ６１ａにより更新される。
【００２７】
次に、図６を参照してＳ−ＣＳＣＦ（Ａ）６１の構成の説明を続ける。ＣＰＵ６１ａは、図６に示す複数の機能を実現する。すなわち、Ｐ−ＣＳＣＦ６１は、機能的には、検知部６ａ（検知手段）、特定部６ｂ（特定手段）、第１送信部６ｃ（第１の送信手段）、受信部６ｄ（受信手段）及び第２送信部６ｅ（第２の送信手段）を有する。検知部６ａ〜第２送信部６ｅは、ＣＰＵ６１ａがコンピュータソフトウェアを実行し、図５に示すＳ−ＣＳＣＦ（Ａ）６１の各構成部を動作させることにより実現される機能である。特に、ＣＰＵ６１ａは、検知部６ａ〜第２送信部６ｅを用いて、図８に示すＳ−ＣＳＣＦ（Ａ）６１の行う処理を実行する。
【００２８】
検知部６ａは、自機（Ｓ−ＣＳＣＦ（Ａ）６１）が輻輳しているか否かを検知する。特定部６ｂは、自機の輻輳が検知部６ａにより検知された場合、自機が通信制御する移動通信端末２ａ等の移動通信端末のうち待ち受け中の移動通信端末を、加入者情報１４を用いて特定する。第１送信部６ｃは、自機の輻輳が検知部６ａにより検知された場合、特定部６ｂにより特定された待ち受け中の移動通信端末に対する通信制御を自機に代えて行う旨の移管要求を、自機以外の他のＳ−ＣＳＣＦ（例えば、Ｓ−ＣＳＣＦ（Ｂ）６２）に送信する。受信部６ｄは、他のＳ−ＣＳＣＦ（例えば、Ｓ−ＣＳＣＦ（Ｂ）６２）から移管要求を受信する。
【００２９】
第２送信部６ｅは、自機以外の他のＳ−ＣＳＣＦから移管要求が受信部６ｄによって受信されると、ＨＳＳ８とＰ−ＣＳＣＦ４とに対し、受信部６ｄによって受信された移管要求において移管の対象となっている（移管要求の送信元であるＳ−ＣＳＣＦの特定部（特定部６ｂに相当）によって移管の対象に特定された）移動通信端末２ａ等の移動通信端末に対し位置登録及び通信制御を行うＳ−ＣＳＣＦを、この移管要求の送信元であるＳ−ＣＳＣＦから自機に変更する旨の変更要求を送信する。この変更要求は、一のＳ−ＣＳＣＦ（変更前のＳ−ＣＳＣＦ）から他のＳ−ＣＳＣＦ（変更後のＳ−ＣＳＣＦ）への移動通信端末の移管に応じて、Ｐ−ＣＳＣＦ４の記録装置４ｇやＨＳＳ８の記録装置８ｇに記録された加入者情報１２の内容（すなわち、Ｓ−ＣＳＣＦのアドレス）を変更する旨の要求である。
【００３０】
次に、ＨＳＳ８の構成を説明する（図２及び図３を参照）。ＨＳＳ８は、物理的には、ＣＰＵ８ａ、ＲＡＭ８ｂ、ＲＯＭ８ｃ、入力装置８ｄ、出力装置８ｅ、通信装置８ｆ及び記録装置８ｇを有しており、これらはバス８ｈに接続されている。ＣＰＵ８ａは、ＲＯＭ８ｃ等の内蔵メモリに格納された所定のコンピュータソフトウェアをＲＡＭ８ｂにロードして実行することにより、ＨＳＳ８を統括的に制御する。入力装置８ｄは、データ入力用デバイスであり、入力されたデータをＣＰＵ８ａに出力する。
【００３１】
出力装置８ｅは、ＬＣＤ等の表示装置であり、ＣＰＵ８ａから入力されたデータをＬＣＤ等に表示する。通信装置８ｆは、Ｓ−ＣＳＣＦ（Ａ）６１等のＳ−ＣＳＣＦと通信を行うためのインターフェイスを有する。記録装置８ｇは、ＣＰＵ８ａの実行可能なコンピュータソフトウェアを格納する。記録装置８ｇは、図４に示す加入者情報１２を格納する。
【００３２】
ＣＰＵ８ａは、図３に示す複数の機能を実現する。すなわち、ＨＳＳ８は、機能的には、受信部８１及び変更部８２を有する。受信部８１及び変更部８２は、ＣＰＵ８ａがコンピュータソフトウェアを実行し、図２に示すＨＳＳ８の各構成部を動作させることにより実現される機能である。特に、ＣＰＵ８ａは、受信部８１及び変更部８２を用いて、図８に示すＨＳＳ８の行う処理を実行する。
【００３３】
受信部８１は、移動通信端末２ａ等の移動通信端末に対し位置登録及び通信制御を行うＳ−ＣＳＣＦ（Ａ）６１等のＳ−ＣＳＣＦの変更要求を、変更後のＳ−ＣＳＣＦから受信する。この変更要求は、一のＳ−ＣＳＣＦ（変更前のＳ−ＣＳＣＦ）から他のＳ−ＣＳＣＦ（変更後のＳ−ＣＳＣＦ）への移動通信端末の移管に応じて、ＨＳＳ８の記録装置８ｇに記録されている加入者情報１２の内容（すなわち、Ｓ−ＣＳＣＦのアドレス）を変更する旨の要求である。変更部８２は、Ｓ−ＣＳＣＦの変更要求が受信部８１により受信されると、この変更要求に応じて、ＨＧＧ８の記録装置８ｇに記録された加入者情報１２の内容（Ｓ−ＣＳＣＦのアドレス）を変更する。
【００３４】
次に、図８を参照して、通信システム１の動作を説明する。まず、Ｓ−ＣＳＣＦ（Ａ）６１の検知部６ａがＳ−ＣＳＣＦ（Ａ）６１の輻輳を検知すると（ステップＳ１）、Ｓ−ＣＳＣＦ（Ａ）６１の特定部６ｂは、Ｓ−ＣＳＣＦ（Ａ）６１が通信制御する移動通信端末のうち待ち受け中の移動通信端末を、加入者情報１４を用いて特定する（以下、図７に示す加入者情報１４においては移動通信端末２ｂ）（ステップＳ２）。
【００３５】
この後、Ｓ−ＣＳＣＦ（Ａ）６１の第１送信部６ｃは、Ｓ−ＣＳＣＦ（Ａ）６１の特定部６ｂにより特定された待ち受け中の移動通信端末２ｂ等の移動通信端末に対する位置登録及び通信制御をＳ−ＣＳＣＦ（Ａ）６１に代えて行う旨の移管要求を、Ｓ−ＣＳＣＦ（Ａ）６１以外の他のＳ−ＣＳＣＦ（Ｓ−ＣＳＣＦ（Ｂ）６２）に送信する（ステップＳ３）。この場合、Ｓ−ＣＳＣＦ（Ａ）６１の第１送信部６ｃは、移管要求を、移管する移動通信端末２ｂ等の移動通信端末（Ｓ−ＣＳＣＦ（Ａ）６１の特定部６ｂにより特定された待ち受け中の移動通信端末）の電話番号及び加入者情報１４等と共に送信する。
【００３６】
ステップＳ３の後、Ｓ−ＣＳＣＦ（Ｂ）６２の受信部６ｄが、移管要求を、移管対象となっている移動通信端末２ｂ等の移動通信端末の電話番号及び加入者情報１４と共にＳ−ＣＳＣＦ（Ａ）６１から受信すると（ステップＳ４）、Ｓ−ＣＳＣＦ（Ｂ）６２の第２送信部６ｅが、Ｓ−ＣＳＣＦ（Ｂ）６２を管理するＨＳＳ８に対し、Ｓ−ＣＳＣＦ（Ｂ）６２の受信部６ｄによって受信された移管要求において移管の対象となっている（移管要求の送信元であるＳ−ＣＳＣＦ（Ａ）６１の特定部６ｂによって移管対象に特定された）移動通信端末２ｂ等の移動通信端末に対し位置登録及び通信制御を行うＳ−ＣＳＣＦを、この移管要求の送信元であるＳ−ＣＳＣＦ（Ａ）６１からＳ−ＣＳＣＦ（Ｂ）６２に変更する旨の変更要求を送信する（ステップＳ５）。
【００３７】
そして、Ｓ−ＣＳＣＦ（Ｂ）６２は、受信した移管要求の内容に基づき、移管対象となっている移動通信端末２ｂ等の移動通信端末の電話番号と、この移動通信端末と通信を行っているＰ−ＣＳＣＦ４のアドレスとを用いて、自機の記録装置（記録装置６１ｇに相当）に記録された加入者情報を変更する。
【００３８】
ステップＳ５の後、ＨＳＳ８の受信部８１は、Ｓ−ＣＳＣＦ（Ａ）６１から移管される移動通信端末２ｂ等の移動通信端末に対し位置登録及び通信制御を行うＳ−ＣＳＣＦをＳ−ＣＳＣＦ（Ａ）６１からＳ−ＣＳＣＦ（Ｂ）６２に変更する旨の要求を、変更後のＳ−ＣＳＣＦであるＳ−ＣＳＣＦ（Ｂ）６２から受信する（ステップＳ６）。ＨＳＳ８の変更部８２は、Ｓ−ＣＳＣＦの変更要求が受信部８１により受信されると、この変更要求に応じて、ＨＳＳ８の記録装置８ｇに記録されている加入者情報１２の内容を変更する（すなわち、移管対象となっている移動通信端末２ｂ等の移動通信端末に関連付けられたＳ−ＣＳＣＦ（Ａ）６１のアドレスをＳ−ＣＳＣＦ（Ｂ）６２のアドレスに変更する）（ステップＳ７）。ステップＳ７の後、ＨＳＳ８は、ＨＳＳ８の記録装置８ｇに記録されている加入者情報１２の内容の変更が完了した旨を示すＳ−ＣＳＣＦアドレスの変更応答をＳ−ＣＳＣＦ（Ｂ）６２に送信する（ステップＳ８）。なお、ステップＳ３において、移管される移動通信端末２ｂ等の移動通信端末の加入者情報（加入者情報１４）がＳ−ＣＳＣＦ（Ａ）６１からＳ−ＣＳＣＦ（Ｂ）６２に送信されるとしたが、これに代えて、ステップＳ８において、記録装置８ｇに格納された加入者情報１２をＨＳＳ８がＳ−ＣＳＣＦ（Ｂ）６２にＳ−ＣＳＣＦアドレスの変更応答等と共に送信してもよい。
【００３９】
ステップＳ８の後、Ｓ−ＣＳＣＦ（Ｂ）６２の受信部６ｄは、ＨＳＳ８から送信されたＳ−ＣＳＣＦアドレスの変更応答を受信すると（ステップＳ９）、Ｓ−ＣＳＣＦ（Ｂ）６２の第２送信部６ｅが、移動通信端末２ｂ等の移動通信端末をＳ−ＣＳＣＦ（Ｂ）６２に通信接続するＰ−ＣＳＣＦ４に対し、Ｓ−ＣＳＣＦ（Ｂ）６２の受信部６ｄによって受信された移管要求において移管の対象となっている（移管要求の送信元であるＳ−ＣＳＣＦ（Ａ）６１の特定部６ｂによって移管対象に特定された）移動通信端末２ｂ等の移動通信端末に対し位置登録及び通信制御を行うＳ−ＣＳＣＦを、この移管要求の送信元であるＳ−ＣＳＣＦ（Ａ）６１からＳ−ＣＳＣＦ（Ｂ）６２に変更する旨の変更要求を送信する（ステップＳ１０）。
【００４０】
ステップＳ１０の後、Ｐ−ＣＳＣＦ４の受信部４１は、Ｓ−ＣＳＣＦ（Ａ）６１から移管される移動通信端末２ｂ等の移動通信端末に対し位置登録及び通信制御を行うＳ−ＣＳＣＦをＳ−ＣＳＣＦ（Ａ）６１からＳ−ＣＳＣＦ（Ｂ）６２に変更する旨の変更要求を、変更後のＳ−ＣＳＣＦであるＳ−ＣＳＣＦ（Ｂ）６２から受信する（ステップＳ１１）。Ｐ−ＣＳＣＦ４の変更部４２は、Ｓ−ＣＳＣＦの変更要求が受信部４１により受信されると、この変更要求に応じて、Ｐ−ＣＳＣＦ４の記録装置４ｇに記録されている加入者情報１２の内容を変更する（すなわち、移管対象となっている移動通信端末２ｂ等の移動通信端末に関連付けられたＳ−ＣＳＣＦ（Ａ）６１のアドレスをＳ−ＣＳＣＦ（Ｂ）６２のアドレスに変更する）（ステップＳ１２）。ステップＳ１２の後、Ｐ−ＣＳＣＦ４は、Ｐ−ＣＳＣＦ４の記録装置４ｇに記録されている加入者情報１２の内容の変更が完了した旨を示すＳ−ＣＳＣＦアドレスの変更応答をＳ−ＣＳＣＦ（Ｂ）６２に送信する（ステップＳ１３）。
【００４１】
（変形例）
なお、Ｐ−ＣＳＣＦ４、Ｓ−ＣＳＣＦ（Ａ）６１およびＨＳＳ８は、上記したものに限らない。Ｐ−ＣＳＣＦ４のＣＰＵ４ａ及びＨＳＳ８のＣＰＵ８ａは、図９に示す複数の機能を実現してもよい。図９に示す機能は、図３に示す機能に加え、Ｐ−ＣＳＣＦ４の場合には停止部４３（停止手段）を更に含み、ＨＳＳ８の場合には停止部８３（停止手段）を更に含む。図９に示す機能を実現するＣＰＵ４ａは、図１２に示すＰ−ＣＳＣＦ４の行う処理を実行し、図９に示す機能を実現するＣＰＵ８ａは、図１２に示すＨＳＳ８の行う処理を実行する。図９に示す受信部４１（第２の受信手段、第３の受信手段）は、上述の受信部４１の機能に加え、特定部６ｂにより特定された待ち受け中の移動通信端末（Ｓ−ＣＳＣＦ（Ａ）６１から位置登録および通信制御をされている移動通信端末であり、以下、移動通信端末２ｂとする）を（移動通信端末２ｂに対する位置登録および通信制御を）Ｓ−ＣＳＣＦ（Ａ）６１から移管する旨の通知（移管通知）を受ける機能を含む。
【００４２】
停止部４３は、Ｓ−ＣＳＣＦ（Ａ）６１から受信部４１が移管通知を受信すると、この移管通知に係る変更要求（すなわち、移動通信端末２ｂに対する位置登録および通信制御を行うＳ−ＣＳＣＦをＳ−ＣＳＣＦ（Ａ）６１からＳ−ＣＳＣＦ（Ｂ）６２に移管することに伴う加入者情報１２のＳ−ＣＳＣＦアドレスの変更要求）を受信部４１が受信するまでの間、移動通信端末２ｂに対する処理（発着信に係る処理）を停止する。なお、図９に示す受信部８１（第２の受信手段、第３の受信手段）、変更部８２および停止部８３のそれぞれの機能は、上述の図９に示す受信部４１、変更部４２および停止部４３のそれぞれの機能と同様である。
【００４３】
また、Ｓ−ＣＳＣＦ（Ａ）６１のＣＰＵ６１ａは、図１０に示す複数の機能を実現してもよい。図１０に示す機能は、図６に示す機能に加え、判定部６ｆおよび通知部６ｇを含む。図１０に示す機能を実現するＣＰＵ６１ａは、図１２に示すＳ−ＣＳＣＦ（Ａ）６１の行う処理を実行する。判定部６ｆは、Ｐ−ＣＳＣＦ４を介して移動通信端末２ｂに通信接続可能な他の通信制御サーバが輻輳しているか否かを判定する。判定部６ｆは、この判定を、記録装置６１ｇ等のＳ−ＣＳＣＦ（Ａ）６１のメモリに予め格納された図１１に示す移管先管理情報１６を用いて行う。
【００４４】
移管先管理情報１６は、自機（Ｓ−ＣＳＣＦ（Ａ）６）が輻輳していると検知部６ａにより検知されると、この検知部６ａによって作成され記録装置６１ｇ等のメモリに格納される。移管先管理情報１６は、Ｓ−ＣＳＣＦアドレス情報１６ａおよび状態情報１６ｂを含む。Ｓ−ＣＳＣＦアドレス情報１６ａは、自機（Ｓ−ＣＳＣＦ（Ａ）６１）以外の他のＳ−ＣＳＣＦであって、Ｐ−ＣＳＣＦ４を介して移動通信端末２ａや移動通信端末２ｂ等と通信接続可能なＳ−ＣＳＣＦ（Ｂ）６２やＳ−ＣＳＣＦ（Ｃ）６３等の複数のアドレスを含む。状態情報１６ｂは、Ｓ−ＣＳＣＦ（Ｂ）６２やＳ−ＣＳＣＦ（Ｃ）６３等の通信状態（現在輻輳しているか否か）を示す情報を含む。図１１に示す移管先管理情報１６は、Ｓ−ＣＳＣＦ（Ｂ）６２が輻輳しておらず、移動通信端末２ｂを移管する移管先として選択可能であることを示し、また、Ｓ−ＣＳＣＦ（Ｃ）６３が輻輳しており、移動通信端末２ｂを移管する移管先として選択不可能であることを示している。
【００４５】
通知部６ｇは、判定部６ｆにより輻輳していないと判定された一の通信制御サーバ（Ｓ−ＣＳＣＦ（Ｂ）６２）がある場合に、Ｐ−ＣＳＣＦ４およびＨＳＳ８に、移動通信端末２ｂの移管通知（移動通信端末２ｂを他のＳ−ＣＳＣＦに移管する旨の通知）を送る。
【００４６】
次に、本変形例における通信システム１の動作を、図１２を参照して説明する。図１２に示すシーケンスは、図８に示すシーケンスのステップＳ２とステップＳ３との間に、ステップＳ２１〜ステップＳ２５が付加されたものである。また、図１２に示すシーケンスにおいて、移動通信端末２ｂの移管先となる通信制御サーバは、図８に示すシーケンスの場合と同様に、Ｓ−ＣＳＣＦ（Ｂ）６２である。
【００４７】
図１２に示すシーケンスにおいて、ステップＳ１の後、まず、検知部６ａは、自機（Ｓ−ＣＳＣＦ（Ａ）６１）以外のＳ−ＣＳＣＦであって、移動通信端末２ａや移動通信端末２ｂとＰ−ＣＳＣＦ４を介して通信接続可能な他のＳ−ＣＳＣＦの通信状態（輻輳しているか否か）を検知し、この検知結果を示す移管先管理情報１６を作成する。ステップＳ２の後に、特定部６ｂは、判定部６ｆを用いて、移動通信端末２ｂの移管先となる一の通信制御サーバを移管先管理情報１６に基づいて選択する（ステップＳ２１）。移動通信端末２ｂの移管先となる一の通信制御サーバ（Ｓ−ＣＳＣＦ（Ｂ）６２）がステップＳ２１において特定部６ｂにより選択されると、通知部６ｇは、移動通信端末２ｂを移管する旨の移管通知を、Ｐ−ＣＳＣＦ４に送り（ステップＳ２２）、また、ＨＳＳ８に送る（ステップＳ２４）。
【００４８】
この移管通知は、Ｐ−ＣＳＣＦ４の受信部４１によって受信され（ステップＳ２３）、また、ＨＳＳ８の受信部８１によって受信される（ステップＳ２５）。なお、ステップＳ２２の実行タイミングとステップＳ２４の実行タイミングは、図１２に示すものに限らず、ステップＳ２４がステップＳ２２よりも早く実行されてもよいし、両ステップが同時に実行されてもよい。
【００４９】
Ｐ−ＣＳＣＦ４の停止部４３は、ステップＳ２３において受信部４１により移管通知が受信されると、この移管通知に係るＳ−ＣＳＣＦアドレスの変更要求がステップＳ１１において受信部４１により受信されるまでの間、この移管通知に係る移動通信端末２ｂに対する処理（通信接続）を停止する。また、ＨＳＳ８の停止部８３も、ステップＳ２５において受信部８１により移管通知が受信されると、この移管通知に係るＳ−ＣＳＣＦアドレスの変更要求がステップＳ６において受信部８１により受信されるまでの間、この移管通知に係る移動通信端末２ｂに対する処理（在圏情報（Ｓ−ＣＳＣＦアドレス、等）の通知）を停止する。停止部４３および停止部８３は、Ｓ−ＣＳＣＦ（Ａ）６１から移管通知を受信した後に、所定時間が経過するまでに、Ｓ−ＣＳＣＦアドレスの変更要求を受信できた場合、停止していた処理を再開する。なお、発信者から接続要求を受け付けたＳ−ＣＳＣＦは、ＨＳＳ８に問い合わせることにより、どのＳ−ＣＳＣＦに呼をルーチングしたらよいのかがわかる。
【００５０】
なお、停止部４３および停止部８３は、Ｓ−ＣＳＣＦ（Ａ）６１から移管通知を受信した後に、所定時間が経過するまでに、Ｓ−ＣＳＣＦアドレスの変更要求を受信できなかった場合、移管処理が失敗したものとして、移動通信端末２ｂに対する処理の停止を解除する。Ｓ−ＣＳＣＦ（Ａ）６１は、この解除後に（上記の所定時間の経過後に）、移動通信端末２ｂと通信接続されると（移動通信端末２ｂの発着信要求をＰ−ＣＳＣＦ４から受信すると）、ステップＳ３においてＳ−ＣＳＣＦ（Ｂ）６２に送信した移管要求の取り消しを、Ｓ−ＣＳＣＦ（Ｂ）６２に通知する。Ｓ−ＣＳＣＦ（Ｂ）６２は、この移管要求の取り消し通知を受信する前に、Ｐ−ＣＳＣＦ４及びＨＳＳ８に対しＳ−ＣＳＣＦアドレスの変更要求を送信する場合も想定されるが、このような場合、Ｓ−ＣＳＣＦ（Ｂ）６２は、既に送信したＳ−ＣＳＣＦアドレスの変更要求の取り消しを、Ｐ−ＣＳＣＦ４及びＨＳＳ８に通知する。
【００５１】
次に、実施形態に係る通信システム１の作用・効果を説明する。実施形態に係るＳ−ＣＳＣＦ（Ａ）６１は、複数の移動通信端末２ａ等の通信を制御する通信制御サーバである。Ｓ−ＣＳＣＦ（Ａ）６１は、検知部６ａ、特定部６ｂ、第１送信部６ｃ、受信部６ｄ及び第２送信部６ｅを備える。検知部６ａは、Ｓ−ＣＳＣＦ（Ａ）６１の輻輳を検知する。特定部６ｂは、Ｓ−ＣＳＣＦ（Ａ）６１の輻輳が検知部６ａにより検知された場合、Ｓ−ＣＳＣＦ（Ａ）６１により制御される上記複数の移動通信端末２ａ等のうち待ち受け中の移動通信端末を特定する。第１送信部６ｃは、特定部６ｂにより特定された移動通信端末に対する通信制御を輻輳の検知されたＳ−ＣＳＣＦ（Ａ）６１に代えて行う旨の移管要求を、Ｓ−ＣＳＣＦ（Ａ）６１以外の他のＳ−ＣＳＣＦ(Ｓ−ＣＳＣＦ（Ｂ）６２)に送信する。
【００５２】
また、実施形態に係る通信システム１は、Ｓ−ＣＳＣＦ（Ａ）６１と、Ｓ−ＣＳＣＦ（Ａ）６１が通信制御（更には位置登録）する移動通信端末２ｂをＳ−ＣＳＣＦ（Ａ）６１から移管する旨の移管要求を受信するＳ−ＣＳＣＦ（Ｂ）６２とを有する。Ｓ−ＣＳＣＦ（Ｂ）６２（Ｓ−ＣＳＣＦ（Ａ）６１も同様）は、受信部６ｄ及び第２送信部６ｅを備える。受信部６ｄは、移管要求を受信する。第２送信部６ｅは、受信部６ｄにより移管要求が受信された場合、移動通信端末２ａ等の移動通信端末２ａを管理するＨＳＳ８とこの移動通信端末をＳ−ＣＳＣＦ（Ａ）６１及びＳ−ＣＳＣＦ（Ｂ）６２に通信接続するＰ−ＣＳＣＦ４とに対し、受信部６ｄによって受信された移管要求において移管の対象となっている移動通信端末を通信制御する通信制御サーバをＳ−ＣＳＣＦ（Ａ）６１からＳ−ＣＳＣＦ（Ｂ）６２に変更する旨の変更要求を送信する。
【００５３】
Ｓ−ＣＳＣＦ（Ａ）６１が自機の輻輳の有無を判定し、自機が輻輳している場合には、自機の通信制御する移動通信端末のうち待ち受け中の移動通信端末を他のＳ−ＣＳＣＦに移管する。これにより、Ｓ−ＣＳＣＦ（Ａ）６１の輻輳状態が回避されるので、特定のＳ−ＣＳＣＦの処理負荷が集中することによる通信障害の発生が回避できる。
【００５４】
実施形態に係るＳ−ＣＳＣＦ（Ａ）６１は、判定部６ｆおよび通知部６ｇを更に備えてもよい。判定部６ｆは、Ｐ−ＣＳＣＦ４を介して移動通信端末２ａ，２ｂに通信接続可能な他の通信制御サーバ（Ｓ−ＣＳＣＦ（Ｂ）６２やＳ−ＣＳＣＦ（Ｃ）６３等）が輻輳しているか否かを判定する。この場合、Ｐ−ＣＳＣＦ４は、特定部６ｂにより特定された移動通信端末（移動通信端末２ｂ）をＳ−ＣＳＣＦ（Ａ）６１に通信接続する。また、通知部６ｇは、判定部６ｆにより輻輳していないと判定された一の通信制御サーバ（Ｓ−ＣＳＣＦ（Ｂ）６２）がある場合に、特定部６ｂにより特定されＳ−ＣＳＣＦ（Ａ）６１により位置登録および通信制御が行われている移動通信端末２ｂをＳ−ＣＳＣＦ（Ａ）６１から移管する旨（移管通知）を、Ｐ−ＣＳＣＦ４と移動通信端末２ｂを管理するＨＳＳ８とに通知する。この場合のＳ−ＣＳＣＦ（Ａ）６１の第１送信部６ｃは、上述の一の通信制御サーバ（Ｓ−ＣＳＣＦ（Ｂ）６２）に、移動通信端末２ｂの移管要求を送信する。
【００５５】
また、実施形態に係る通信システム１は、上述の判定部６ｆおよび通知部６ｇを備えたＳ−ＣＳＣＦ（Ａ）６１と、Ｓ−ＣＳＣＦ（Ａ）６１により輻輳中でないと判定された他の判定済みのＳ−ＣＳＣＦ（Ｂ）６２と、Ｓ−ＣＳＣＦ（Ａ）６１およびＳ−ＣＳＣＦ（Ｂ）６２と移動通信端末２ａ，２ｂとを通信接続するＰ−ＣＳＣＦ４と、移動通信端末２ａ，２ｂを管理するＨＳＳ８とを備えてもよい。この場合、Ｓ−ＣＳＣＦ（Ｂ）６２の受信部６ｄ（第１の受信手段）は、Ｓ−ＣＳＣＦ（Ａ）６１により通信制御（更には位置登録）されている移動通信端末２ｂをＳ−ＣＳＣＦ（Ａ）６１から移管する旨の移管要求を受信し、第２送信部６ｅは、受信部６ｄにより移動通信端末２ｂの移管要求が受信された場合に、Ｐ−ＣＳＣＦ４とＨＳＳ８とに対し、移動通信端末２ｂを通信制御（更には位置登録）する通信制御サーバをＳ−ＣＳＣＦ（Ａ）６１から判定済みのＳ−ＣＳＣＦ（Ｂ）６２に変更する旨の変更要求を送信する。そして、Ｐ−ＣＳＣＦ４およびＨＳＳ８については、受信部４１および受信部８１のそれぞれが、移動通信端末２ｂの移管を示す移管通知とこの移管通知に係るＳ−ＣＳＣＦアドレスの変更要求とを受信し、また、受信部４１および停止部８３のそれぞれが移動通信端末２ｂの移管通知を受信すると、停止部４３および停止部８３のそれぞれが、受信部４１および停止部８３のそれぞれにより変更要求が受信されるまで、特定部６ｂにより特定された移動通信端末２ｂに対する処理を停止する。
【図面の簡単な説明】
【００５６】
【図１】実施形態に係る通信システムの構成を示す図である。
【図２】実施形態に係るＰ−ＣＳＣＦ及びＨＳＳの構成を示す図である。
【図３】実施形態に係るＰ−ＣＳＣＦ及びＨＳＳの構成を示す図である。
【図４】実施形態に係るＰ−ＣＳＣＦ及びＨＳＳの有する加入者情報を例示する図である。
【図５】実施形態に係るＳ−ＣＳＣＦの構成を示す図である。
【図６】実施形態に係るＳ−ＣＳＣＦの構成を示す図である。
【図７】実施形態に係るＳ−ＣＳＣＦの有する加入者情報を例示する図である。
【図８】実施形態に係る通信システムの動作を説明するためのシーケンスである。
【図９】変形例に係るＰ−ＣＳＣＦ及びＨＳＳの構成を示す図である。
【図１０】変形例に係るＳ−ＣＳＣＦの構成を示す図である。
【図１１】変形例に係るＳ−ＣＳＣＦの有する移管先管理情報を例示する図である。
【図１２】変形例に係る通信システムの動作を説明するためのシーケンスである。
【符号の説明】
【００５７】
１…通信システム、１２，１４…加入者情報、１２ａ…電話番号情報、１２ｂ…Ｓ−ＣＳＣＦアドレス情報、１４ａ…電話番号情報、１４ｂ…通話状態情報、１４ｃ…最終通話時刻情報、１６…移管先管理情報、１６ａ…Ｓ−ＣＳＣＦアドレス情報、１６ｂ…状態情報、２ａ，２ｂ…移動通信端末、４…Ｐ−ＣＳＣＦ、４ａ，８ａ，６１ａ…ＣＰＵ、４ｂ，８ｂ，６１ｂ…ＲＡＭ、４ｃ，８ｃ，６１ｃ…ＲＯＭ、４ｄ，８ｄ，６１ｄ…入力装置、４ｅ，８ｅ，６１ｅ…出力装置、４ｆ，８ｆ，６１ｆ…通信装置、４ｇ，８ｇ，６１ｇ…記録装置、４ｈ，８ｈ，６１ｈ…バス、４１，８１…受信部、４２，８２…変更部、４３，８３…停止部、６ａ…検知部、６ｂ…特定部、６ｃ…第１送信部、６ｄ…受信部、６ｅ…第２送信部、６ｆ…判定部、６ｇ…通知部、６１…Ｓ−ＣＳＣＦ（Ａ）、６２…Ｓ−ＣＳＣＦ（Ｂ）、８…ＨＳＳ
【図１】
2008271501.tif 000003
【図２】
2008271501.tif 000004
【図３】
2008271501.tif 000005
【図４】
2008271501.tif 000006
【図５】
2008271501.tif 000007
【図６】
2008271501.tif 000008
【図７】
2008271501.tif 000009
【図８】
2008271501.tif 000010
【図９】
2008271501.tif 000011
【図１０】
2008271501.tif 000012
【図１１】
2008271501.tif 000013
【図１２】
2008271501.tif 000014